(57)【要約】【課題】  幅木や廻り縁などの内装材の表面がきれいに仕上がる建築用内装材仮止め具を提供すること。【解決手段】  幅木１Ａや廻り縁１Ｂや長押などの内装材１を、壁面２に仮止めする建築用内装材仮止め具であって、壁面２に当接固定する壁面固定部３に、前記内装材１の表面に当接する押さえ付け部４を連設し、この押さえ付け部４は、弾性を有すると共に断面逆Ｕ字形に形成して、この逆Ｕ字状の押さえ付け部４の遊離両端部４Ａが夫々前記弾性により内装材１の表面に押圧当接する構成とし、前記壁面固定部３に、この壁面固定部３を壁面２に止着するための止着具５を挿通するガイド孔６を貫通形成すると共に、このガイド孔６は、このガイド孔６に挿通した止着具５の止着先端側が前記押さえ付け部４側へ向かって傾斜した状態となる傾斜孔６に形成する。【選択図】      図４
2005336955.tif 000002
【特許請求の範囲】
【請求項１】
幅木や廻り縁や長押などの内装材を、壁面に仮止めする建築用内装材仮止め具であって、壁面に当接固定する壁面固定部に、前記内装材の表面に当接する押さえ付け部を連設し、この押さえ付け部は、弾性を有すると共に断面逆Ｕ字形に形成して、この逆Ｕ字状の押さえ付け部の遊離両端部が夫々前記弾性により内装材の表面に押圧当接する構成とし、前記壁面固定部に、この壁面固定部を壁面に止着するための止着具を挿通するガイド孔を貫通形成すると共に、このガイド孔は、このガイド孔に挿通した止着具の止着先端側が前記押さえ付け部側へ向かって傾斜した状態となる傾斜孔に形成したことを特徴とする建築用内装材仮止め具。
【請求項２】
壁面に前記壁面固定部を当接すると共に、壁面に接着した前記内装材の表面に前記押さえ付け部の遊離両端部を当接し、前記ガイド孔に挿通した前記止着具を壁面に打ち込み若しくはねじ込みすると、この傾斜するガイド孔により止着具の打ち込み若しくはねじ込みに従って壁面固定部，押さえ付け部が内装材の方向へ移動しつつ、押さえ付け部の前記遊離両端部が前記内装材表面に押圧当接する前記弾性度を生じるように、この押さえ付け部の材質・形状を設定したことを特徴とする請求項１記載の建築用内装材仮止め具。
【請求項３】
半円筒形を呈する基体の一端側を前記壁面固定部としてこの壁面固定部の遊離両端部が夫々部屋の壁面に当接する構成とし、この基体の他端側を前記押さえ付け部としてこの押さえ付け部が前記逆Ｕ字形を呈するように構成すると共に、この押さえ付け部の遊離両端部が夫々前記内装材の表面に当接する構成としたことを特徴とする請求項１，２のいずれか１項に記載の建築用内装材仮止め具。
【請求項４】
前記壁面固定部の遊離両端部間に、部屋内の壁面に当接する当接部を架設状態に設けて、この壁面固定部は遊離両端部の夫々と、前記当接部とが壁面に当接する構成としたことを特徴とする請求項３記載の建築用内装材仮止め具。
【発明の詳細な説明】
【技術分野】
【０００１】
本発明は、幅木や廻り縁や長押などの内装材を壁面に仮止めする建築用内装材仮止め具に関するものである。
【背景技術】
【０００２】
例えば、内装の幅木１Ａを壁面２に施工する場合には、幅木１Ａの裏面に接着剤を塗って壁面２の任意の箇所に接着するが、接着剤が硬化するまでには時間がかかるため、その間幅木１Ａを仮止めしておく必要がある。
【０００３】
従来の一般的な幅木１Ａの仮止め方法としては、図９に示すように、針のような細いピンＰを幅木１Ａの表側から貫通させて壁面２に打ち込みすることが行われている。
【発明の開示】
【発明が解決しようとする課題】
【０００４】
しかしながら、このような細いピンＰを使用して仮止めを行う場合、ピンＰは幅木１Ａの表面より突出することのないように深く打ち込みし、接着剤硬化後もこのピンＰを抜き取ることはしないから、仕上がり後も幅木１Ａの表面に僅かではあるがピンＰが見えてしまっているという問題があった。
【０００５】
本発明は、このような現状に鑑み、これを解決するためのもので、幅木や廻り縁や長押などの内装材自体にピン等を打ち込みすることなしに仮止めを行うことができ、幅木や廻り縁などの内装材の表面がきれいに仕上がる画期的な建築用内装材仮止め具を提供するものである。
【課題を解決するための手段】
【０００６】
添付図面を参照して本発明の要旨を説明する。
【０００７】
幅木１Ａや廻り縁１Ｂや長押などの内装材１を、壁面２に仮止めする建築用内装材仮止め具であって、壁面２に当接固定する壁面固定部３に、前記内装材１の表面に当接する押さえ付け部４を連設し、この押さえ付け部４は、弾性を有すると共に断面逆Ｕ字形に形成して、この逆Ｕ字状の押さえ付け部４の遊離両端部４Ａが夫々前記弾性により内装材１の表面に押圧当接する構成とし、前記壁面固定部３に、この壁面固定部３を壁面２に止着するための止着具５を挿通するガイド孔６を貫通形成すると共に、このガイド孔６は、このガイド孔６に挿通した止着具５の止着先端側が前記押さえ付け部４側へ向かって傾斜した状態となる傾斜孔６に形成したことを特徴とする建築用内装材仮止め具に係るものである。
【０００８】
また、壁面２に前記壁面固定部３を当接すると共に、壁面２に接着した前記内装材１の表面に前記押さえ付け部４の遊離両端部４Ａを当接し、前記ガイド孔６に挿通した前記止着具５を壁面２に打ち込み若しくはねじ込みすると、この傾斜するガイド孔６により止着具５の打ち込み若しくはねじ込みに従って壁面固定部３，押さえ付け部４が内装材１の方向へ移動しつつ、押さえ付け部４の前記遊離両端部４Ａが前記内装材１表面に押圧当接する前記弾性度を生じるように、この押さえ付け部４の材質・形状を設定したことを特徴とする請求項１記載の建築用内装材仮止め具に係るものである。
【０００９】
また、半円筒形を呈する基体Ｋの一端側を前記壁面固定部３としてこの壁面固定部３の遊離両端部３Ａが夫々部屋の壁面２に当接する構成とし、この基体Ｋの他端側を前記押さえ付け部４としてこの押さえ付け部４が前記逆Ｕ字形を呈するように構成すると共に、この押さえ付け部４の遊離両端部４Ａが夫々前記内装材１の表面に当接する構成としたことを特徴とする請求項１，２のいずれか１項に記載の建築用内装材仮止め具に係るものである。
【００１０】
また、前記壁面固定部３の遊離両端部３Ａ間に、部屋内の壁面２に当接する当接部３Ｂを架設状態に設けて、この壁面固定部３は遊離両端部３Ａの夫々と、前記当接部３Ｂとが壁面２に当接する構成としたことを特徴とする請求項３記載の建築用内装材仮止め具に係るものである。
【発明の効果】
【００１１】
本発明は上述のように構成したから、幅木や廻り縁や長押等の内装材の表面に仮止め用のピン等が露出しないきれいな仕上がりを実現できる上、ねらった位置に、しかも沿設する床面や天井面等とに隙間を生じにくいようにして内装材を強固に仮止めすることができる極めて実用性に秀れた画期的な建築用内装材仮止め具となる。
【００１２】
また、請求項２記載の発明においては、前記作用・効果を確実に発揮する押さえ付け部を簡易に設計実現可能となる一層実用性に秀れた構成の建築用内装材仮止め具となる。
【００１３】
また、請求項３記載の発明においては、前記作用・効果を確実に発揮する本発明の建築用内装材仮止め具を簡易に設計実現可能となる秀れた構成となる。
【００１４】
また、請求項４記載の発明においては、壁面固定部を壁面に固定した際に壁面を傷付けにくい一層実用性に秀れた構成の建築用内装材仮止め具となる。
【発明を実施するための最良の形態】
【００１５】
好適と考える本発明の実施形態（発明をどのように実施するか）を、図面に基づいて本発明の作用を示して簡単に説明する。
【００１６】
幅木１Ａや廻り縁１Ｂや長押などの内装材１の裏面に接着剤を塗布してこの内装材１を壁面２に接着した後、この内装材１の表面に押さえ付け部４の遊離両端部４Ａを当接すると共に、壁面固定部３を壁面２に当接し、ガイド孔６に止着具５を挿通してこの止着具５を例えば壁面２に打ち込み若しくはねじ込みする。
【００１７】
すると、ガイド孔６は、止着具５の止着先端側（挿通先端側）が押さえ付け部４側へ向かって傾斜する傾斜孔６であるため、止着具５の打ち込み若しくはねじ込みに従って押さえ付け部４が内装材１の方向へ移動しつつ、押さえ付け部４の前記遊離両端部４Ａが前記内装材１表面を押さえ付けることになる。
【００１８】
更に具体的には、例えば、図６に示すように、弾性を有する押さえ付け部４は、止着具５の打ち込み若しくはねじ込みによる壁面２方向への押圧（押し付け）力（矢印Ｙ１）によって遊離両端部４Ａが夫々外側に開くように（矢印Ｙ２方向に）弾性変形し、この変形した遊離両端部４Ａの復帰弾性力が内装材１を壁面２方向に強固に弾圧付勢することで、内装材１は壁面２に強く押さえ付けられることになる。
【００１９】
また、例えば、幅木１Ａや廻り縁１Ｂは、その下縁若しくは上縁が床面11若しくは天井面に沿設当接するようにして壁面２に付設されるが、本発明によれば、この際、本内装材仮止め具自体が内装材１方向へと移動するので、例えば、幅木１Ａの仮止めの場合、図３〜図５に示すように、幅木１Ａの上側の壁面２に壁面固定部３を固定し、下方へ向けた押さえ付け部４で幅木１Ａを押さえ付けると、本内装材仮止め具は幅木１Ａの方向、即ち床面11方向へと移動し、この移動力（矢印Ｙ３）によって押さえ付け部４（遊離両端部４Ａ）が当接している幅木１Ａに対してこの幅木１Ａの下縁を床面11に押し付ける力が作用することになり、床面11に沿ってしっかりと幅木１Ａが仮止めされることになる。
【００２０】
また、床面11や天井面は建築の誤差や狂い等によって必ずしも平らな面とは限らないから、幅木１Ａの下縁と床面11との間若しくは廻り縁１Ｂの上縁と天井面との間に隙間を生じてしまう場合があるが、たとえ床面11や天井面にうねりがあったとしても、前記移動力（矢印Ｙ３）によって床面11と幅木１Ａの下縁との隙間、若しくは天井面と廻り縁１Ｂの上縁との隙間を埋めるように幅木１Ａが押し付けられながら壁面２に仮止めされることになる。
【００２１】
従って、本発明によれば、ねらった位置で位置ずれすることなく、しかも内装材１と沿設する床面11や天井面等とに隙間を生じにくい状態で内装材１を極めて安定的に仮止めできることになる。
【００２２】
また、本発明では、内装材１自体にピンＰ等を打ち込みすることなしに内装材１を壁面２に強固に仮止めすることができるので、内装材１の表面にピンＰ等が露出しない非常に体裁の良い仕上がりを実現できることになる。
【００２３】
接着剤硬化後は、止着具５を壁面２より取り外すことで、本内装剤仮止め具を内装材１及び壁面２から取り去ることができる。
【００２４】
尚、壁面２に残った止着具５の止着跡は、例えばパテ埋めして修復したり、壁紙を貼って見えなくなるように仕上げると良い。
【実施例】
【００２５】
本発明の具体的な実施例について図面に基づいて説明する。
【００２６】
本実施例は、建築物の部屋内の壁面２に当接固定する壁面固定部３に、部屋内の壁面２の下方に付設される幅木１Ａや、壁面２の上方に付設される廻り縁１Ｂや長押などの内装材１の表面に当接する押さえ付け部４を連設している。
【００２７】
具体的には、図１，図２，図６に示すように、半円筒形を呈する基体Ｋを採用し、この基体Ｋの一端側を前記壁面固定部３として遊離端部３Ａの夫々が壁面２に当接する構成とし、この基体Ｋの他端側を前記押さえ付け部４として遊離端部４Ａの夫々が前記内装材１に当接する構成としている。
【００２８】
即ち、壁面固定部３も押さえ付け部４も断面逆Ｕ字形を呈するように構成している。
【００２９】
また、断面逆Ｕ字状の押さえ付け部４は、例えば前記基体Ｋを樹脂製とすることによって撓み弾性を有する構成としている。尚、基体Ｋを弾性のある金属製とすることで、押さえ付け部４が弾性を有する構成としても良いし、その他の弾性を有する構造でも良い。
【００３０】
また、本実施例では、基体Ｋの中程の遊離両端部に、部屋内の壁面２とこの壁面２に付設される前記内装材１とに生じる段差に合せて段差部８を形成し、この段差部８を境にして一端側を前記壁面固定部３、他端側を前記押さえ付け部４としている。
【００３１】
具体的には、比較的薄厚な幅木１Ａに対応した段差部８を形成している。即ち、壁面固定部３の遊離両端部３Ａより、略幅木１Ａの厚さ分だけ押さえ付け部４の遊離両端部４Ａが図１，図２において上方（表側）へ凹設する形状に形成しているもので、本実施例は幅木１Ａの仮止め用に適した構成である。
【００３２】
また、この段差部８の段差縁８Ａは、内装材１の上縁若しくは下縁に押圧当接する押圧縁８Ａとして機能するように構成し、後述するガイド孔６に止着具５を挿通した上、この止着具５を壁面２にねじ込むことにより本内装材仮止め具が内装材１方向へ移動すると、この押圧縁８Ａが内装材１の上縁若しくは下縁を押圧当接する構成としている。
【００３３】
本実施例では、前記壁面固定部３に、この壁面固定部３を部屋内の壁面２に止着するための止着具５を挿通するガイド孔６を貫通形成すると共に、このガイド孔６は、このガイド孔６に挿通した止着具５の止着先端側が前記押さえ付け部４側へ向かって傾斜した状態となる傾斜孔６に形成している。
【００３４】
具体的には、壁面固定部３の表面となる湾曲壁の内側面（裏面）に、この壁面固定部３の表側から裏側に向けて径小な筒部を一体的に突設すると共に、この筒部に対応する壁面固定部３の表面位置を貫通形成することで、この筒部を壁面固定部３の表側から止着具５を挿通し得る前記ガイド孔６としている。
【００３５】
また、この筒状のガイド孔６は、図２に示すように、壁面固定部３の裏側への突出先端部が前記段差部８の方向へ向かって傾斜する傾斜孔６に形成し、このガイド孔６により止着具５として採用した木ねじ５が壁面２に対し斜設状態で挿通案内されてねじ込まれる構成としている。
【００３６】
また、この壁面固定部３の遊離両端部３Ａの夫々の当接縁部は、図２に示すように、押さえ付け部４側へ行く程上り傾斜する傾斜縁に形成し、これによって使用する幅木１Ａなどの内装材１の異なる厚みに対応できるように構成している。即ち、本実施例の場合、内装材１の厚みが前記段差部８の段差幅と略等しいか大きい場合には、この壁面固定部３の遊離両端部３Ａの夫々の先端側（外側）縁部が部屋内の壁面２に当接することになり、内装材１の厚みが前記段差部８の段差幅よりも小さい場合には、押さえ付け部４側が壁面２に伏した状態となるが、壁面固定部３の遊離両端部３Ａの夫々の当接縁部が前記傾斜縁であるため、この遊離両端部３Ａの先端側から基端側にかけての当接縁部が適宜（内装材１の厚みに応じて）壁面２に当接し得る構成としている。
【００３７】
また、押さえ付け部４は、その中程から前記段差部８にかけての部位（基体Ｋの中程寄り側の部位）の遊離両端部４Ａを、中程から先端部（外側部）にかけての遊離両端部４Ａよりも図１，図２において上方（表側）へ凹設し、この凹設部の遊離両端部４Ａは、内装材１の表面に当接せず、中程より先端側の下方（裏側）へ突出している遊離両端部４Ａが内装材１の表面に当接する構成としている。
【００３８】
また、この先端側の遊離両端部４Ａの夫々の当接縁部は、図２に示すように、その先端側程下がり傾斜する傾斜縁に形成している。
【００３９】
従って、この押さえ付け部４は、前記段差部８の段差幅と厚みが略等しいか小さい内装材１に対しては、先端側の遊離両端部４Ａの先端部分の当接縁が当接し、段差部８の段差幅よりも厚みの大きい内装材１に対しては、先端側の遊離両端部４Ａの先端部分から基端側部分の当接縁部が適宜（内装材１の厚みに応じて）当接することになるもので、しかも、押さえ付け部４の基端部側を凹設したことでかなり厚みのある内装材１に対しても、この凹設部に内装材１の上縁若しくは下縁を配することで先端側の遊離両端部４Ａを内装材１の表面に当接させることができる構成としている。
【００４０】
また、本実施例では、前記半円筒形を呈する前記壁面固定部３の遊離両端部３Ａ間に、部屋内の壁面２に当接する当接部３Ｂを架設状態に設けて、この壁面固定部３は遊離両端部３Ａ夫々と、前記当接部３Ｂとが壁面２に当接する構成としている。
【００４１】
具体的には、基体Ｋの壁面固定部３側の端部近傍に、半円形の板部を一体的に設けると共に、この板部の壁面固定部３裏側に存する縁部（直径部分）が遊離両端部３Ａの当接縁部と略面一状態となるように設けて、この板部の縁部を前記当接部３Ｂとしている。
【００４２】
従って、本実施例では、前記壁面固定部３の遊離両端部３Ａの当接縁部を押さえ付け部４側へ行く程上り傾斜する傾斜縁に形成したことによってこの壁面固定部３（遊離両端部３Ａ）の端部は、ほとんどの場合壁面２に当接した状態で固定されるので、この当接部３Ｂはほとんどの場合壁面２に当接することとなり、これにより壁面固定部３の遊離両端部３Ａだけが壁面２に当接する構成であると、遊離両端部３Ａの基端部だけが壁面２に対して点接触した状態で固定される場合があって壁面２を傷付け易いが、この遊離両端部３Ａと共に遊離両端部３Ａ間に架設する当接部３Ｂが壁面２に当接することで接触面積が増大し、壁面２を傷付けにくくなる構成としている。
【００４３】
尚、本実施例の内装材仮止め具は、例えば、樹脂で一体成形することで簡易に設計実現可能であり、量産性に秀れ安価な製品を提供可能となる。
【００４４】
本実施例の使用方法を説明する。
【００４５】
先ず、幅木１Ａの仮止めについて図３〜図６を用いて説明する。
【００４６】
幅木１Ａの裏面に接着剤を塗布し、部屋内の壁面２の下部に接着する。
【００４７】
次いで、本実施例の内装材仮止め具を、押さえ付け部４を幅木１Ａの表面に当接し、壁面固定部３を幅木１Ａ上方の壁面２に当接し、更に段差部８の段差縁８Ａを幅木１Ａの上縁に当接する（図３参照。）。
【００４８】
そして、ガイド孔６に止着具５たる木ネジ５を挿通し、この木ネジ５の挿通先端を壁面２にねじ込みする。
【００４９】
すると、ガイド孔６が壁面固定部３の表面側から裏面側へ行く程押さえ付け部４側に寄る傾斜孔６に形成されているため、壁面固定部３が更に幅木１Ａに接近する方向に（本内装材仮止め具が下方の床面11方向に）わずかながら移動し、この移動力（矢印Ｙ３）により段差縁８Ａ並びに遊離両端部４Ａが幅木１Ａに対してこの幅木１Ａの下縁を床面11に押し付ける力が作用することになり、これによってたとえ床面11にうねりがあったとしても、この床面11と幅木１Ａの下縁との隙間を埋めるように幅木１Ａが押し付けられる（図５参照。）。
【００５０】
また、この際、木ネジ５の頭部が壁面固定部３の表面を下方へ押圧するように（矢印Ｙ１方向への押し付け力が）作用することで押さえ付け部４の遊離両端部４Ａが強く幅木１Ａ表面に押し付けられ、遊離両端部４Ａ間が左右外側に開くように（矢印Ｙ２方向に）弾性変形し（図６参照）、この変形した遊離両端部４Ａの復帰弾性力が幅木１Ａを壁面２方向へ強固に弾圧付勢することで、幅木１Ａは強力に壁面２に押し付けられ、仮止め状態に保持されることになる（図４参照。）。
【００５１】
接着剤が硬化したら、木ネジ５を壁面２より螺脱して本内装材仮止め具を幅木１Ａ及び壁面２から取り去る。
【００５２】
その後、壁面２に残る木ネジ５のねじ込み跡は、パテ埋めして修復したり、壁紙を貼って見えなくなるように仕上げる。
【００５３】
次に、廻り縁１Ｂの仮止めについて図７，図８を用いて説明する。
【００５４】
尚、本実施例は、上記したように幅木１Ａに適した構造であり、厚みのある廻り縁１Ｂに対応するために別部品のスペーサー９を使用した場合を示している。
【００５５】
このスペーサー９について説明すると、図７，図８に示すように、角柱の一側部（図７において右側部）を前記壁面固定部３の内面に嵌合する半円弧形に形成した形状のものであると共に、半円弧形部には前記当接部３Ｂを構成する半円形板部が嵌合する嵌合溝10を形成したもので、矢印Ｙ４のようにこの嵌合溝10に当接部３Ｂを嵌合することで、壁面固定部３の外側端部の裏側に位置決め状態でこのスペーサー９を装着できるように構成している。
【００５６】
また、このスペーサー９装着時に、スペーサー９は壁面固定部３（遊離両端部３Ａ）より裏側へ突出するように高さ寸法を設定すると共に、他側面を遊離端部３Ａと同調する傾斜面に形成し、これによって厚みのある廻り縁１Ｂに対応できるように構成している。即ち、このスペーサー９を介して間接的に壁面固定部３が壁面２に対して固定される構成であり、このスペーサー９は、その他側面（図７において左側面）が前記遊離両端部３Ａとして機能すると共に、前記当接部３Ｂとしても機能する。即ち、このスペーサー９が壁面固定部３の一部として機能する構成である。
【００５７】
尚、このスペーサー９は、例えば樹脂で一体成形することで、簡易に設計実現可能である。
【００５８】
廻り縁１Ｂの裏面に接着剤を塗布し、部屋内の壁面２の上部に接着する。
【００５９】
次いで、スペーサー９を装着した内装材仮止め具を、押さえ付け部４を廻り縁１Ｂの表面に当接し、壁面固定部３の一部として機能するスペーサー９の他側面を廻り縁１Ｂ下方の壁面２に当接し、更に段差部８の段差縁８Ａを廻り縁１Ｂの下縁に当接する。即ち、幅木１Ａの仮止めの場合とは、本内装材仮止め具を上下逆向きにして使用する。
【００６０】
そして、ガイド孔６に木ネジ５を挿通し、この木ネジ５の挿通先端を壁面２にねじ込みすると、幅木１Ａの場合と同様に、廻り縁１Ｂは遊離両端部４Ａの弾圧付勢力によって強力に壁面２に押さえ付けられると共に、本内装材仮止め具が上方の天井面方向にわずかに移動することで、この移動力によって段差縁８Ａ並びに遊離両端部４Ａが廻り縁１Ｂに対してこの廻り縁１Ｂの上縁を天井面に押し付ける力が作用することになり、これによってたとえ天井面にうねりがあったとしても、この天井面と廻り縁１Ｂの上縁との隙間を埋めるように廻り縁１Ｂが押し付けられて仮止め状態に保持されることになる。
【００６１】
接着剤が硬化したら、木ネジ５を螺脱して本内装材仮止め具を廻り縁１Ｂ及び壁面２から取り去り、ねじ込み跡を前記同様に仕上げる。
【００６２】
尚、この廻り縁１Ｂの場合と同様にして長押を仮止めすることもできる。
【００６３】
また、スペーサー９を用いず、廻り縁１Ｂ，長押用として本実施例のものより壁面固定部３の遊離両端部３Ａが裏側へ長く突出する構成のものを用意しても良い。
【００６４】
また、止着具５として釘を採用しても良いが、本実施例のように木ネジ５を採用した方が、押さえ付け部４の内装材１に対する押し付け力をねじ込み度合いによって微調整できるので好ましい。
【００６５】
尚、本発明は、本実施例に限られるものではなく、各構成要件の具体的構成は適宜設計し得るものである。
【図面の簡単な説明】
【００６６】
【図１】本実施例を示す斜視図である。
【図２】本実施例を示す側断面図である。
【図３】本実施例を壁面と幅木に当接した状態を示す説明斜視図である。
【図４】本実施例の幅木の仮止め状態を示す説明斜視図である。
【図５】本実施例の幅木の仮止め状態を示す説明側断面図である。
【図６】本実施例の押さえ付け部の弾圧作用を示す説明図である。
【図７】本実施例のスペーサーを用いる場合の説明図である。
【図８】スペーサーを用いた本実施例の廻り縁の仮止め状態を示す説明斜視図である。
【図９】従来の仮止め方法を示す説明斜視図である。
【符号の説明】
【００６７】
１  内装材
１Ａ  幅木
１Ｂ  廻り縁
２  壁面
３  壁面固定部
３Ａ  遊離両端部
３Ｂ  当接部
４  押さえ付け部
４Ａ  遊離両端部
５  止着具
６  ガイド孔（傾斜孔）
Ｋ  基体
【図１】
2005336955.tif 000003
【図２】
2005336955.tif 000004
【図３】
2005336955.tif 000005
【図４】
2005336955.tif 000006
【図５】
2005336955.tif 000007
【図６】
2005336955.tif 000008
【図７】
2005336955.tif 000009
【図８】
2005336955.tif 000010
【図９】
2005336955.tif 000011